【手続補正書】
【提出日】平成17年9月21日(2005.9.21)
【手続補正１】
【補正対象書類名】明細書
【補正対象項目名】発明の名称
【補正方法】変更
【補正の内容】
【発明の名称】和音演奏支援装置及び電子弦楽器
【手続補正２】
【補正対象書類名】明細書
【補正対象項目名】特許請求の範囲
【補正方法】変更
【補正の内容】
【特許請求の範囲】
【請求項１】  複数の弦とフレットに対応する複数のフレットスイッチと、該フレットスイッチを発光表示する発光部とを有する電子弦楽器における和音演奏支援装置であって、
演奏情報を供給する演奏情報ソースと、該演奏情報ソースからの演奏情報における和音の根音と種類に対応して前記発光部を発光表示する発光制御部と、を備え、
前記発光制御部は、特定の１弦に対応するフレットスイッチまたはその近傍で前記和音の根音を表示するとともに該特定の１弦以外の他の弦に対応するフレットスイッチまたはその近傍の表示の組み合わせで前記和音の種類を表示することを特徴とする和音演奏支援装置。
【請求項２】  複数の弦とフレットに対応する複数のフレットスイッチと、該フレットスイッチを発光表示する発光部とを有する電子弦楽器であって、
演奏情報を供給する演奏情報ソースと、
該演奏情報ソースからの演奏情報における和音の根音と種類に対応して前記発光部を発光表示する発光制御部と、
前記複数の弦に対応する複数の疑似撥弦手段と、
該疑似撥弦手段の駆動に連動した発音トリガ手段と、
前記フレットスイッチ及び／または前記発音トリガ手段により楽音を発生する楽音発生手段と、
を備え、
前記発光制御部は、特定の１弦に対応するフレットスイッチまたはその近傍で前記和音の根音を表示するとともに該特定の１弦以外の他の弦に対応するフレットスイッチまたはその近傍の表示の組み合わせで前記和音の種類を表示し、前記楽音発生手段は、該表示のあったフレットスイッチの操作及び／または前記トリガ手段によるトリガの発生により該和音の楽音を発生するようにしたことを特徴とする電子弦楽器。
【請求項３】  複数の弦とフレットに対応する複数のフレットスイッチと、該フレットスイッチを発光表示する発光部とを有する電子弦楽器であって、
演奏情報を供給する演奏情報ソースと、
該演奏情報ソースからの演奏情報における和音の根音と種類に対応して前記発光部を発光表示する発光制御部と、
前記複数の弦に対応する複数の疑似撥弦手段と、
該疑似撥弦手段の駆動に連動した発音トリガ手段と、
前記フレットスイッチ及び／または前記発音トリガ手段により楽音を発生する楽音発生手段と、
を備え、
前記発光制御部は、特定の１弦に対応するフレットスイッチまたはその近傍で前記和音の根音を表示するとともに該特定の１弦以外の他の弦に対応するフレットスイッチまたはその近傍の表示の組み合わせで前記和音の種類を表示し、前記楽音発生手段は、任意のフレットスイッチの操作及び／または前記トリガ手段によるトリガの発生により該フレットスイッチに対応する楽音を発生するようにしたことを特徴とする電子弦楽器。
【請求項４】  音楽ボード上のスケール位置に対応して配置される発光表示部と、
演奏情報を供給する演奏情報ソースと、
該演奏情報ソースからの演奏情報における和音の根音と種類に対応して前記発光表示部を発光表示する発光制御部と、を備え、
前記発光表示部は、各音名に対応して直線状に配置される複数の根音表示要素と、該根音表示要素の近傍に配置された複数の種類表示要素とを有し、
前記発光制御部は、前記和音の根音に対応する前記根音表示要素で該根音を表示するとともに、前記種類表示要素の組み合わせで該和音の種類を表示することを特徴とする和音演奏支援装置。
【請求項５】  音楽ボードと、
この音楽ボードに演奏情報を供給するための演奏情報ソースと、
前記音楽ボード上に設けられ該演奏情報ソースからの演奏情報による楽譜を表示する楽譜表示部と、
前記演奏情報ソースからの演奏情報における和音の根音と種類に対応して発光表示部を発光表示する発光制御部と、を備え、
前記発光表示部は、各音名に対応して配置されるフレット表示の複数の根音表示要素と、該根音表示要素に隣接したフレット表示の複数の種類表示要素とを有し、前記発光制御部は、前記和音の根音に対応する前記根音表示要素で該根音を表示するとともに、前記種類表示要素の組み合わせで該和音の種類を表示することを特徴とする和音演奏支援装置。
【請求項６】  フレットとに対応する発光表示部と、
演奏情報を供給する演奏情報ソースと、
該演奏情報ソースからの演奏情報における和音の根音と種類に対応して前記発光表示部を発光表示する発光制御部と、を備え、
前記発光表示部は、各音名に対応して配置される複数の根音表示要素と、該根音表示要素の近傍に配置された複数の種類表示要素とを有し、
前記発光制御部は、前記和音の根音に対応する前記根音表示要素で該根音を表示するとともに、前記種類表示要素の組み合わせで該和音の種類を表示する第１の表示モードと、前記演奏情報における和音構成音による和音を表示する普通の第２の表示モードとを、切替可能にした切替可能手段を有したことを特徴とする和音演奏支援装置。
【手続補正３】
【補正対象書類名】明細書
【補正対象項目名】０００１
【補正方法】変更
【補正の内容】
【０００１】
【発明の属する技術分野】
本発明は、演奏情報における和音を表示する和音演奏支援装置及びギター等の複数の弦に対応した複数の疑似撥弦手段を有する電子弦楽器に関する。
【手続補正４】
【補正対象書類名】明細書
【補正対象項目名】０００８
【補正方法】変更
【補正の内容】
【０００８】
そこで、本発明は、ギターの和音を、合理的に、且つ効率良く覚えることができ、アコースティックギターへの移行も容易にできるように、和音演奏の支援を行えるような装置及び電子弦楽器を提供することを課題とする。
【手続補正５】
【補正対象書類名】明細書
【補正対象項目名】０００９
【補正方法】変更
【補正の内容】
【０００９】
【課題を解決するための手段】
請求項１の和音演奏支援装置または請求項２の電子弦楽器は、演奏情報ソースからの演奏情報における和音の根音と種類に対応して、フレットスイッチの発光部を発光し、特定の１弦に対応するフレットスイッチで和音の根音を表示するとともに該特定の１弦以外の他の弦に対応するフレットスイッチの組み合わせで和音の種類を表示するようにした。なお、「組み合わせ」とは、他の弦の発光しているフレットスイッチの個数が０個の場合、１個の場合、それ以上の場合を含むものである。また、請求項２の電子弦楽器では、表示されたフレットスイッチの操作及び／または弦に対応するトリガ手段によるトリガの発生により該和音の楽音を発生するようにした。さらに、請求項３の電子弦楽器では、フレットスイッチの操作及びトリガ手段によるトリガの発生により該フレットスイッチに対応する楽音を発生するようにした。
【手続補正６】
【補正対象書類名】明細書
【補正対象項目名】００１０
【補正方法】変更
【補正の内容】
【００１０】
また、請求項４の和音演奏支援装置は、音楽ボード上のスケール位置に対応して配置される発光表示部であって、各音名に対応して直線状に配置される複数の根音表示要素と、該根音表示要素の近傍に配置された複数の種類表示要素とを有する発光表示部により、演奏情報における和音を表示し、このとき、和音の根音に対応する根音表示要素で該根音を表示するとともに、種類表示要素の組み合わせで該和音の種類を表示するようにした。また、請求項５の和音演奏支援装置は、前記根音表示要素と種類表示要素はフレット表示であり、また演奏情報による楽譜を楽譜表示部で表示するようにした。また、請求項６の和音演奏支援装置は、根音表示要素で該根音を表示するとともに、種類表示要素の組み合わせで該和音の種類を表示する第１の表示モードと、演奏情報における和音構成音による和音を表示する普通の第２の表示モードとを切替可能にした。
【手続補正７】
【補正対象書類名】明細書
【補正対象項目名】００４２
【補正方法】変更
【補正の内容】
【００４２】
すなわち、以上の実施形態は請求項１〜３に対応するフレットスイッチを備えた和音演奏支援装置及び電子楽器の例であるが、請求項４に対応してＥＺ表示により和音を表示するようなものでもよい。例えば図２における、内部メモリ部１６や演奏データ読出し処理部１７等の演奏データを供給する演奏情報ソース、第１運指変換処理部２３や第１発光制御部２５等の発光制御部、ＬＥＤ駆動回路２６やＬＥＤアレイ２７等の表示部を備えて構成することができる。また、表示部はＬＥＤアレイに限らず、ディスプレイやその他の表示装置など、演奏データに対応する楽譜（スケール）を表示する音楽ボードである。そして、この音楽ボードの楽譜に対応して例えば前記図４と同様なパターンを表示する。これにより、演奏データに対応する和音をＥＺ表示することができる。
【手続補正８】
【補正対象書類名】明細書
【補正対象項目名】００４３
【補正方法】変更
【補正の内容】
【００４３】
図５は、このような和音演奏支援装置の他の例を示す図であり、カラオケ装置のディスプレイ６０の表示面６０ａを音楽ボードとした例である。なお、上記演奏情報ソースや発光制御部と同様な装置は、図示しないパーソナルコンピュータとソフトウエアで構成したり、専用のカラオケ装置で構成してもよい。ディスプレイ６０の表示面６０ａ上には、カラオケ曲の楽譜Ａが表示され、その下に歌詞Ｂが表示され、さらにその下に、ＥＺ表示の和音パターンＣが表示されている。なお、この和音パターンＣは、前記図４と同様なパターンである。この図４を参照してコードパターンＣの構成を説明すると、第２弦のパターンが「音名に対応して直線状に配置される複数の根音表示要素」であり、第１弦及び第３弦のパターンが「根音表示要素の近傍に配置された複数の種類表示要素」である。